(57)【要約】【課題】印字前の印刷媒体を突き当てることなく姿勢調整することで姿勢調整時間を短縮すると共に姿勢調整誤差を抑制防止することが可能なインクジェットプリンタを提供する。【解決手段】例えば右側及び左側駆動ローラ６Ｒ、６Ｌと右側及び左側従動ローラ７Ｒ、７Ｌとに張架され且つ印刷媒体搬送方向と交差する方向に複数併設された右側及び左側搬送ベルト５Ｒ、５Ｌからなる右側及び左側搬送部４Ｒ、４Ｌを印刷媒体姿勢調整手段とし、これらを右側及び左側電動モータ８Ｒ、８Ｌで個別に速度制御することで、印刷媒体１のうち、搬送方向と交差する方向、即ち幅方向両端部の搬送速度を調整して姿勢制御する構成とすることにより、印刷媒体１をなにものかに突き当てることなく姿勢調整することができ、これにより姿勢調整時間を短縮すると共に姿勢調整誤差を抑制防止することができる。【選択図】図１
2008007266.tif 000002
【特許請求の範囲】
【請求項１】
印刷媒体を所定の搬送速度で所定の搬送方向に搬送する搬送手段と、前記搬送手段で搬送される印刷媒体に対し、所定の印字位置でインクを吐出して印字を行うインクジェットヘッドとを備えたインクジェットプリンタにおいて、前記搬送手段による印刷媒体搬送方向と交差する方向に複数配設された印刷媒体姿勢調整手段と、前記複数の印刷媒体姿勢調整手段を個々に駆動する複数のアクチュエータと、前記複数のアクチュエータの駆動状態を個々に制御する制御手段とを備えたことを特徴とするインクジェットプリンタ。
【請求項２】
前記印刷媒体姿勢調整手段に対応する位置に、印刷媒体の位置を検出する印刷媒体位置検出手段を備えたことを特徴とする請求項１に記載のインクジェットプリンタ。
【請求項３】
前記制御手段は、前記印刷媒体位置検出手段で検出される印刷媒体搬送方向と交差する方向の複数箇所の印刷媒体位置情報に基づいて前記複数のアクチュエータの駆動状態を制御することを特徴とする請求項２に記載のインクジェットプリンタ。
【請求項４】
前記印刷媒体姿勢調整手段が印刷媒体の搬送速度を調整して当該印刷媒体の姿勢を調整するものである場合、前記制御手段は、前記印刷媒体位置検出手段で検出される印刷媒体搬送方向と交差する方向の複数箇所の印刷媒体位置情報に基づいて印刷媒体姿勢調整手段の印刷媒体搬送速度調整量を設定し、この印刷媒体搬送速度調整量が達成されるように前記複数のアクチュエータの駆動状態を制御することを特徴とする請求項３に記載のインクジェットプリンタ。
【請求項５】
前記制御手段は、複数の印刷媒体姿勢調整手段の印刷媒体搬送速度の平均値が前記印刷媒体の所定の搬送速度に常に一致するように印刷媒体姿勢調整手段の印刷媒体搬送速度調整量を設定することを特徴とする請求項４に記載のインクジェットプリンタ。
【請求項６】
前記印刷媒体姿勢調整手段は、印刷媒体搬送方向に配設された駆動ローラと従動ローラとに張架され且つ印刷媒体搬送方向と交差する方向に複数併設された搬送ベルトからなる搬送手段であることを特徴とする請求項１乃至５の何れか一項に記載のインクジェットプリンタ。
【請求項７】
前記搬送手段は、印刷媒体搬送方向に配設された駆動ローラと従動ローラとに張架された搬送ベルトからなり、前記印刷媒体姿勢調整手段は、前記搬送手段の印刷媒体搬送面に対向して配設され且つ印刷媒体に接触して搬送可能な回転体からなることを特徴とする請求項１乃至５の何れか一項に記載のインクジェットプリンタ。
【請求項８】
前記印刷媒体姿勢調整手段は、前記搬送ベルト上で印刷媒体の姿勢を調整することを特徴とする請求項６又は７に記載のインクジェットプリンタ。
【請求項９】
前記搬送手段は、印刷媒体搬送方向に配設された駆動ローラと従動ローラとに張架された搬送ベルトからなり、前記印刷媒体姿勢調整手段は、前記搬送手段の印刷媒体搬送方向上流側に配設され且つ印刷媒体搬送方向と交差する方向に複数併設された搬送ローラからなることを特徴とする請求項１乃至５の何れか一項に記載のインクジェットプリンタ。
【発明の詳細な説明】
【技術分野】
【０００１】
本発明は、例えば複数色の液体インクの微小なインク滴を複数のノズルから吐出してその微粒子（インクドット）を印刷媒体上に形成することにより、所定の文字や画像を印字するようにしたインクジェットプリンタに関するものである。
【背景技術】
【０００２】
このようなインクジェットプリンタは、一般に安価で且つ高品質のカラー印刷物が容易に得られることから、パーソナルコンピュータやデジタルカメラなどの普及に伴い、オフィスのみならず一般ユーザにも広く普及してきている。
このようなインクジェットプリンタは、一般に、インクカートリッジと印字ヘッド(インクジェットヘッドともいう)とが一体的に備えられたキャリッジなどと称される移動体が印刷媒体上をその搬送方向と交差する方向に往復移動しながらその印字ヘッドのノズルから液体インク滴を吐出（噴射）して印刷媒体上に微小なインクドットを形成することで、当該印刷媒体上に所定の文字や画像を印字して所望の印刷物を作成するようになっている。そして、このキャリッジに黒色（ブラック）を含めた４色（イエロー、マゼンタ、シアン）のインクカートリッジと各色毎の印字ヘッドを備えることで、モノクロ印刷のみならず、各色を組み合わせたフルカラー印刷も容易に行えるようになっている（更に、これらの各色に、ライトシアンやライトマゼンタなどを加えた６色や７色、或いは８色のものも実用化されている）。
【０００３】
また、このようにキャリッジ上のインクジェットヘッドを印刷媒体の搬送方向と交差する方向に往復させながら印刷を実行するようにしたタイプのインクジェットプリンタでは、１頁全体をきれいに印刷するためにインクジェットヘッドを１０回程度から数十回以上も往復運動させる必要がある。
これに対し、印刷媒体の幅と同じ寸法の長尺のインクジェットヘッド（一体である必要はない）を配置してキャリッジを使用しないタイプのインクジェットプリンタでは、インクジェットヘッドを印刷媒体の幅方向に移動させる必要がなく、所謂１パスでの印刷が可能となるため、レーザプリンタなどと同様な高速な印刷が可能となる。なお、前者方式のインクジェットプリンタを一般に「マルチパス（シリアル）型インクジェットプリンタ」、後者方式のインクジェットプリンタを一般に「ラインヘッド型インクジェットプリンタ」と呼んでいる。
【０００４】
このようなラインヘッド型インクジェットプリンタでは、特に印刷媒体の搬送が重要になる。そこで、下記特許文献１では、複数の搬送ベルトを単一の駆動源で等速駆動するようにすると共に、搬送ベルトの印刷媒体搬送方向上流側には、印刷媒体の斜行、所謂スキューを補正するためのシャッターが設けられている。このラインヘッド型インクジェットプリンタでは、給紙部の印刷媒体はピックアップローラと搬送ローラで給紙されるが、その際、印刷媒体が斜めに送られている場合には、斜めに送られた印刷媒体の搬送方向先端がシャッターにあたり、印刷媒体のたわみを伴いながら搬送方向先端部がシャッターにガイドされてシャッターと平行、即ち搬送方向と交差する方向に姿勢調整され、その後、搬送ベルト上に給紙される。
【特許文献１】特開２００１−１１３６９０号公報
【発明の開示】
【発明が解決しようとする課題】
【０００５】
しかしながら、前記特許文献１に記載されるラインヘッド型インクジェットプリンタでは、印刷媒体の搬送方向先端部をシャッターにあて、印刷媒体のたわみを伴いながら姿勢調整するのに時間がかかる。つまり、印刷媒体を高速でシャッターにあてると、印刷媒体が折れてしまうので、印刷媒体や折れないようにゆっくりシャッターにあて、所謂印刷媒体の腰（弾性力）で先端部をシャッターと平行にする。そのため、印刷媒体の姿勢調整時間を短縮するのに限界がある。また、印刷媒体の搬送方向先端部を完全にシャッターに沿わせて印刷媒体の姿勢調整を行うのが困難で、かなりの姿勢調整誤差が生じる。
【０００６】
また、シャッターの代わりに一対のローラを用いる、所謂ゲートローラ方式でも同様の問題が生じる。このゲートローラ方式では、停止状態にある一対のローラの当接部、所謂ニップ部に印刷媒体の搬送方向先端部があたり、印刷媒体のたわみを伴いながら搬送方向先端部がニップ部に沿って平行になり、印刷媒体の姿勢が調整され、然る後、ローラを回転させて搬送ベルトなどの搬送手段に給紙される。従って、このゲートローラ方式でも、印刷媒体の搬送方向先端部を突き当てて姿勢制御を行う点では、シャッター方式と原理的に同じであり、姿勢調整時間がかかったり、姿勢調整誤差が生じたりする問題が生じる。
【０００７】
また、両方式に共通して、印刷媒体の搬送方向先端部が突き当たったり、曲げ変形したり、印刷媒体先端部が擦れたりしてダメージを受け、印刷媒体搬送方向先端部のコバ（切り口）から紙粉が発生したり、所謂耳折れが発生したりする。ラインヘッド型インクジェットプリンタの場合、紙粉はインクジェットヘッドのノズル面に付着し、インクの不吐出や所謂飛行曲がりを起こし、機械的信頼性の低下、印字劣化につながる。また、耳折れは印刷媒体のインクジェットヘッドへの衝突によるジャム（紙詰まり）やノズル面接触による印字不良を引き起こし、インクジェットプリンタとして重大な欠点となる。
本発明は、上記のような問題点に着目してなされたものであり、印刷媒体を突き当てることなく姿勢調整することで姿勢調整時間を短縮すると共に姿勢調整誤差を抑制防止し、更に諸問題を回避することができるインクジェットプリンタを提供することを目的とするものである。
【課題を解決するための手段】
【０００８】
［発明１］上記課題を解決するために、発明１のインクジェットプリンタは、印刷媒体を所定の搬送速度で所定の搬送方向に搬送する搬送手段と、前記搬送手段で搬送される印刷媒体に対し、所定の印字位置でインクを吐出して印字を行うインクジェットヘッドとを備えたインクジェットプリンタにおいて、前記搬送手段による印刷媒体搬送方向と交差する方向に複数配設された印刷媒体姿勢調整手段と、前記複数の印刷媒体姿勢調整手段を個々に駆動する複数のアクチュエータと、前記複数のアクチュエータの駆動状態を個々に制御する制御手段とを備えたことを特徴とするものである。
【０００９】
この発明１に係るインクジェットプリンタによれば、印刷媒体搬送方向と交差する方向に印刷媒体姿勢調整手段を複数配設し、それらの印刷媒体調整手段の駆動用アクチュエータを制御手段によって個々に制御する構成としたため、例えば印刷媒体調整手段を、印刷媒体のうち、搬送方向と交差する方向の両端部の搬送速度を調整するものとすれば、印刷媒体を突き当てることなく姿勢調整することができ、これにより姿勢調整時間を短縮すると共に姿勢調整誤差を抑制防止し、更に諸問題を回避することができる。
【００１０】
［発明２］また、発明２のインクジェットプリンタは、前記発明１のインクジェットプリンタにおいて、前記印刷媒体姿勢調整手段に対応する位置に、印刷媒体の位置を検出する印刷媒体位置検出手段を備えたことを特徴とするものである。
この発明２に係るインクジェットプリンタによれば、印刷媒体姿勢調整手段に対応する位置に印刷媒体位置検出手段を配設する構成としたため、この印刷媒体位置検出手段で印刷媒体の位置を検出しながら印刷媒体姿勢調整手段によって印刷媒体の姿勢を調整するようにすれば、フィードバック制御を可能とする閉ループが構成され、より一層正確な印刷媒体姿勢制御が可能となる。
【００１１】
［発明３］また、発明３のインクジェットプリンタは、前記発明２のインクジェットプリンタにおいて、前記制御手段は、前記印刷媒体位置検出手段で検出される印刷媒体搬送方向と交差する方向の複数箇所の印刷媒体位置情報に基づいて前記複数のアクチュエータの駆動状態を制御することを特徴とするものである。
この発明３に係るインクジェットプリンタによれば、印刷媒体位置検出手段で検出される印刷媒体搬送方向と交差する方向の複数箇所の印刷媒体位置情報に基づいて複数のアクチュエータの駆動状態を制御する構成としたため、閉ループのフィードバック制御によってより一層正確な印刷媒体姿勢制御を行うことができる。
【００１２】
［発明４］また、発明４のインクジェットプリンタは、前記発明３のインクジェットプリンタにおいて、前記印刷媒体姿勢調整手段が印刷媒体の搬送速度を調整して当該印刷媒体の姿勢を調整するものである場合、前記制御手段は、前記印刷媒体位置検出手段で検出される印刷媒体搬送方向と交差する方向の複数箇所の印刷媒体位置情報に基づいて印刷媒体姿勢調整手段の印刷媒体搬送速度調整量を設定し、この印刷媒体搬送速度調整量が達成されるように前記複数のアクチュエータの駆動状態を制御することを特徴とするものである。
【００１３】
この発明４に係るインクジェットプリンタによれば、印刷媒体位置検出手段で検出される印刷媒体搬送方向と交差する方向の複数箇所の印刷媒体位置情報に基づいて印刷媒体姿勢調整手段の印刷媒体搬送速度調整量を設定し、この印刷媒体搬送速度調整量が達成されるように複数のアクチュエータの駆動状態を制御する構成としたため、より一層正確な印刷媒体姿勢制御を可能とすると共に、印刷媒体を搬送しながら姿勢制御することができ、これにより姿勢調整時間を含む印字所要時間を短縮することができる。
【００１４】
［発明５］また、発明５のインクジェットプリンタは、前記発明４のインクジェットプリンタにおいて、前記制御手段は、複数の印刷媒体姿勢調整手段の印刷媒体搬送速度の平均値が前記印刷媒体の所定の搬送速度に常に一致するように印刷媒体姿勢調整手段の印刷媒体搬送速度調整量を設定することを特徴とするものである。
この発明５に係るインクジェットプリンタによれば、複数の印刷媒体姿勢調整手段の印刷媒体搬送速度の平均値が印刷媒体の所定の搬送速度に常に一致するように印刷媒体姿勢調整手段の印刷媒体搬送速度調整量を設定する構成としたため、姿勢制御中の印刷媒体全体の搬送速度を所定の搬送速度とすることができるので印刷媒体の搬送を滑らかなものとすると共に、如何様な姿勢の印刷媒体でも姿勢調整時間を含む印字所要時間を一定とすることができる。
【００１５】
［発明６］また、発明６のインクジェットプリンタは、前記発明１〜５のインクジェットプリンタにおいて、前記印刷媒体姿勢調整手段は、印刷媒体搬送方向に配設された駆動ローラと従動ローラとに張架され且つ印刷媒体搬送方向と交差する方向に複数併設された搬送ベルトからなる搬送手段であることを特徴とするものである。
この発明６に係るインクジェットプリンタによれば、印刷媒体搬送方向に配設された駆動ローラと従動ローラとに張架され且つ印刷媒体搬送方向と交差する方向に複数併設された搬送ベルトからなる搬送手段を印刷媒体姿勢調整手段としたため、個別の印刷媒体姿勢調整手段を必要とせず、構成が簡潔になると共に、搬送ベルト上での印刷媒体姿勢制御が可能となるので、印字までの間に乗り移り等による印刷媒体姿勢変化要因を回避できる。
【００１６】
［発明７］また、発明７のインクジェットプリンタは、前記発明１〜５のインクジェットプリンタにおいて、前記搬送手段は、印刷媒体搬送方向に配設された駆動ローラと従動ローラとに張架された搬送ベルトからなり、前記印刷媒体姿勢調整手段は、前記搬送手段の印刷媒体搬送面に対向して配設され且つ印刷媒体に接触して搬送可能な回転体からなることを特徴とするものである。
【００１７】
この発明７のインクジェットプリンタによれば、印刷媒体搬送方向に配設された駆動ローラと従動ローラとに張架された搬送ベルトを搬送手段とし、その搬送ベルトからなる搬送手段の印刷媒体搬送面に対向して配設され且つ印刷媒体に接触して搬送可能な回転体を印刷媒体姿勢調整手段としたため、搬送ベルト上での印刷媒体姿勢制御が可能となるので、印字までの間に乗り移り等による印刷媒体姿勢変化要因を回避できる。
【００１８】
［発明８］また、発明８のインクジェットプリンタは、前記発明６，７のインクジェットプリンタにおいて、前記印刷媒体姿勢調整手段は、前記搬送ベルト上で印刷媒体の姿勢を調整することを特徴とするものである。
この発明８のインクジェットプリンタによれば、搬送ベルト上で印刷媒体の姿勢を調整する構成としたため、印字までの間に乗り移り等による印刷媒体姿勢変化要因を回避することができる。
【００１９】
［発明９］また、発明９のインクジェットプリンタは、前記発明１〜５のインクジェットプリンタにおいて、前記搬送手段は、印刷媒体搬送方向に配設された駆動ローラと従動ローラとに張架された搬送ベルトからなり、前記印刷媒体姿勢調整手段は、前記搬送手段の印刷媒体搬送方向上流側に配設され且つ印刷媒体搬送方向と交差する方向に複数併設された搬送ローラからなることを特徴とするものである。
【００２０】
この発明９のインクジェットプリンタによれば、印刷媒体搬送方向に配設された駆動ローラと従動ローラとに張架された搬送ベルトを搬送手段とし、その搬送ベルトからなる搬送手段の印刷媒体搬送方向上流側に配設され且つ印刷媒体搬送方向と交差する方向に複数併設された搬送ローラを印刷媒体姿勢調整手段としたため、例えばゲートローラを印刷媒体姿勢調整手段とすることにより、個別の印刷媒体姿勢調整手段を必要とせず、構成が簡潔になる。
【発明を実施するための最良の形態】
【００２１】
次に、本発明のインクジェットプリンタの第１実施形態について図面を参照しながら説明する。
図１は、本実施形態のインクジェットプリンタの概略構成図であり、図１ａは、その平面図、図１ｂは正面図である。図１において、印刷媒体１は、図の右方から左方に向けて図の矢印方向に搬送され、その搬送途中の印字領域で印字される、ラインヘッド型インクジェットプリンタである。図１は、印刷媒体１が印字領域を通過している状態を示している。
【００２２】
図中の符号２は、印字領域に配設されたヘッドユニット、符号３は、ヘッドユニット２に設けられたインクジェットヘッドであり、ヘッドユニット２の下方には印刷媒体１を搬送するための搬送部４Ｒ、４Ｌが設けられている。この搬送部４Ｒ、４Ｌは、印刷媒体１の搬送方向と交差する方向（以下、ノズル列方向とも称す）に所定の間隔をあけて配設された６本の第１搬送ベルト５Ｒ、５Ｌで構成される。
【００２３】
６本の搬送ベルト５Ｒ、５Ｌのうち、ノズル列方向右側３本の搬送ベルト５Ｒと、ノズル列方向左側３本の搬送ベルト５Ｌとを区分する。即ち、ノズル列方向右側３本の搬送ベルト５Ｒの印刷媒体搬送方向下流側に右側駆動ローラ６Ｒが配設されると共に印刷媒体搬送方向上流側に右側従動ローラ７Ｒが配設され、ノズル列方向左側３本の搬送ベルト５Ｌの印刷媒体搬送方向下流側に左側駆動ローラ６Ｌが配設されると共に印刷媒体搬送方向上流側に左側従動ローラ７Ｌが配設されている。そして、ノズル列方向右側３本の搬送ベルト５Ｒは右側駆動ローラ６Ｒ及び右側従動ローラ７Ｒに巻回されて張架され、ノズル列方向左側３本の搬送ベルト５Ｌは左側駆動ローラ６Ｌ及び左側従動ローラ７Ｌに巻回されており、右側駆動ローラ６Ｒには右側電動モータ８Ｒが接続され、左側駆動ローラ６Ｌには左側電動モータ８Ｌが接続されている。
【００２４】
従って、右側電動モータ８Ｒによって右側駆動ローラ６Ｒを回転駆動すると、ノズル列方向右側３本の搬送ベルト５Ｒで構成される右側搬送部４Ｒは、互いに同期し且つ同じ速度で移動し、左側電動モータ８Ｌによって左側駆動ローラ６Ｌを回転駆動すると、ノズル列方向左側３本の搬送ベルト５Ｌで構成される左側搬送部４Ｌは、互いに同期し且つ同じ速度で移動する。但し、右側電動モータ８Ｒと左側電動モータ８Ｌの回転速度を異なるものとすると、ノズル列方向左右の搬送速度を変えることができ、具体的には右側電動モータ８Ｒの回転速度を左側電動モータ８Ｌの回転速度よりも大きくすると、ノズル列方向右側の搬送速度を左側よりも大きくすることができ、左側電動モータ８Ｌの回転速度を右側電動モータ８Ｒの回転速度よりも大きくすると、ノズル列方向左側の搬送速度を右側よりも大きくすることができ、これにより印刷媒体の搬送姿勢を調整することができる。従って、これら搬送ベルト５Ｒ、５Ｌで構成される搬送部４Ｒ、４Ｌそのものが、本発明の印刷媒体姿勢調整手段を構成している。
【００２５】
インクジェットヘッド３は、例えばイエロー（Ｙ）、マゼンタ（Ｍ）、シアン（Ｃ）、ブラック（Ｋ）の６色の各色毎に、印雑媒体１の搬送方向にずらして配設されている。各インクジェットヘッド３には、図示しない各色のインクタンクからインク供給チューブを介してインクが供給される。各インクジェットヘッド３には、印刷媒体１の搬送方向と交差する方向に、複数のノズルが形成されており（即ちノズル列方向）、それらのノズルから同時に必要箇所に必要量のインク滴を吐出することにより、印刷媒体１上に微小なインクドットを形成出力する。これを各色毎に行うことにより、搬送部４Ｒ、４Ｌで搬送される印刷媒体１を一度通過させるだけで、所謂ワンパスによる印刷を行うことができる。即ち、これらのインクジェットヘッド３の配設領域が印字領域に相当する。
【００２６】
インクジェットヘッドの各ノズルからインクを吐出出力する方法としては、静電方式、ピエゾ方式、膜沸騰インクジェット方式などがある。静電方式は、アクチュエータである静電ギャップに駆動信号を与えると、キャビティ内の振動板が変位してキャビティ内に圧力変化を生じ、その圧力変化によってインク滴がノズルから吐出出力されるというものである。ピエゾ方式は、アクチュエータであるピエゾ素子に駆動信号を与えると、キャビティ内の振動板が変位してキャビティ内に圧力変化を生じ、その圧力変化によってインク滴がノズルから吐出出力されるというものである。膜沸騰インクジェット方式は、キャビティ内に微小ヒータがあり、瞬間的に３００℃以上に加熱されてインクが膜沸騰状態となって気泡が生成し、その圧力変化によってインク滴がノズルから吐出出力されるというものである。本発明は、何れのインク出力方法も適用可能である。
【００２７】
従動ローラ７Ｒ、７Ｌの印刷媒体搬送方向上流側には、給紙部２８の印刷媒体１を搬送ベルト５Ｒ、５Ｌ上に給紙するためのフィードローラ９が二個一対で設けられている。また、フィードローラ９と搬送ベルト５Ｒ、５Ｌとの間には、印刷媒体１の乗り移りのための給紙ガイド板１０が設けられている。一方、駆動ローラ６Ｒ、６Ｌの印刷媒体搬送方向下流側には、搬送ベルト５Ｒ、５Ｌ上の印刷媒体１を排紙部１１に排紙するための排紙ローラ１２が二個一対で設けられている。また、排紙ローラ１２と搬送ベルト５Ｒ、５Ｌとの間には、印刷媒体１の乗り移りのための排紙ガイド板１３が設けられている。
【００２８】
従動ローラ７Ｒ，７Ｌの印刷媒体搬送方向上流側で且つ給紙ガイド板１０の下方にはベルト帯電ローラ１４が配設され、搬送ベルト５Ｒ、５Ｌに当接している。このベルト帯電ローラ１４は、図示しない電源から電荷が付与され、当接する搬送ベルト５Ｒ、５Ｌに電荷を付与してそれらを帯電する。一般に、これらのベルト類は、中・高抵抗体又は絶縁体で構成されているので、ベルト帯電ローラ１４によって帯電すると、その表面に印加された電荷が、同じく高抵抗体又は絶縁体で構成される印刷媒体１に誘電分極を生じせしめ、その誘電分極によって発生する電荷とベルト表面の電荷との間に生じる静電気力でベルトに印刷媒体１を吸着することができる。なお、帯電手段としては、所謂電荷を降らせるコロトロンなどでもよい。
【００２９】
また、本実施形態では、搬送ベルト５Ｒ、５Ｌの併設方向外側に、例えば光電センサなどからなる印刷媒体位置センサ１５Ｒ、１５Ｌを配設している。この印刷媒体位置センサ１５Ｒ、１５Ｌは、該当する位置、即ち印刷媒体搬送方向と交差する方向の両外側で、印刷媒体１の搬送方向と交差する方向の両端部における搬送方向先端部位置を検出するものである。ちなみに、印刷媒体１の搬送方向と交差する方向の幅が狭い場合には、図２に示すように、印圧媒体位置センサ１５Ｒ、１５Ｌを印刷媒体の搬送方向と交差する方向の両端部に該当する位置に配設すればよい。
【００３０】
従って、このインクジェットプリンタによれば、ベルト帯電ローラ１４で搬送ベルト５Ｒ、５Ｌの表面を帯電し、その状態でフィードローラ９によって給紙部２８から印刷媒体１を給紙し、図示しない拍車やローラで構成される紙押えローラで印刷媒体１を搬送ベルト５Ｒ、５Ｌに押し付けると、前述した誘電分極の作用によって印刷媒体１は搬送ベルト５Ｒ、５Ｌの表面に吸着される。この状態で、電動モータ８Ｒ、８Ｌによって駆動ローラ６Ｒ、６Ｌを回転駆動すると、その回転駆動力が搬送ベルト５Ｒ、５Ｌを介して従動ローラ７Ｒ、７Ｌに伝達される。
【００３１】
このようにして印刷媒体１を吸着した状態で搬送ベルト５Ｒ、５Ｌを搬送方向下流側に移動し、印刷媒体１をヘッドユニット２の下方に移動し、各色のインクジェットヘッド３に形成されているノズルからインク滴を吐出して印字を行う。このインクジェットヘッド３による印字が終了したら、印刷媒体１を更に搬送方向下流側に移動し、排紙ローラ１２印刷媒体１を搬送ベルト５Ｒ、５Ｌの表面から分離しながら排紙部１１に排紙する。
【００３２】
また、図３に示すように、例えば給紙部２８からフィードローラ９によって搬送ベルト５Ｒ、５Ｌ上に給紙される印刷媒体１が斜めになっている場合、即ちスキューがある場合、図４に示すように、印刷媒体１がヘッドユニット２の印刷媒体搬送方向最上流側のインクジェットヘッド３に到着する以前に印刷媒体１の姿勢を調整し、図１に示すように、印刷媒体１を所定の姿勢で印字領域に通過させて印字を行うようにする。
【００３３】
前記インクジェットプリンタ内には、自身を制御するための制御装置が設けられている。図５には、この制御装置内に構築された印刷媒体姿勢制御装置のブロック図を示す。本実施形態の印刷媒体姿勢調整手段駆動用のアクチュエータは電動モータ８Ｒ、８Ｌである。この印刷媒体姿勢制御装置は、右側及び左側の印刷媒体位置センサ１５Ｒ、１５Ｌの出力から印刷媒体１の位置情報を算出する印刷媒体位置情報算出部１６と、この印刷媒体位置情報算出部１６で算出された印刷媒体１の位置情報から印刷媒体１の搬送速度の調整量を算出する印刷媒体搬送速度調整量算出部１７と、この印刷媒体搬送速度調整量算出部１７で算出された印刷媒体１の搬送速度の調整量に基づいて右側及び左側の電動モータ８Ｒ、８Ｌに駆動信号を出力する右側及び左側ドライバ１８Ｒ、１８Ｌとからなる。なお、印刷媒体位置情報算出部１６や印刷媒体搬送速度調整量算出部１７は、図示しないコンピュータシステム内に構築されている。
【００３４】
次に、前記印刷媒体位置情報算出部１６で算出される印刷媒体１の位置情報や、印刷媒体搬送速度調整量算出部１７で算出される印刷媒体搬送速度調整量について説明する。例えば、図３に示すように、搬送方向と交差する方向（以下、幅方向と称す）のうち、図の上部（以下、右側と称す）が先行し、図の下部（以下、左側と称す）が後行している場合には、右側搬送ベルト５Ｒからなる右側搬送部４Ｒの搬送速度を小さくし、左側搬送ベルト５Ｌからなる左側搬送部４Ｌの搬送速度を大きくする。印刷媒体１の幅方向右側と左側の搬送方向への位置の差は、例えば右側印刷媒体位置センサ１５Ｒが印刷媒体１の搬送方向先端部を検出した時間と、左側印刷媒体位置センサ１５Ｌが印刷媒体１の搬送方向センタ部を検出した時間との差に、印刷媒体１の所定搬送速度を乗ずれば得られる。
【００３５】
この印刷媒体１の幅方向右側と左側の搬送方向への位置の差を距離ΔＬとしたとき、この距離ΔＬが算出された時刻、この場合は印刷媒体１の搬送方向先端部が搬送ベルト５Ｒ、５Ｌ上に到達した時刻ｔ0から、印刷媒体１がヘッドユニット２の印刷媒体搬送方向最上流側のインクジェットヘッド３に到着する直前の時刻ｔ2までの間に、右側搬送ベルト５Ｒからなる右側搬送部４Ｒは印刷媒体１の幅方向右側端部を距離の半分値（ΔＬ／２）だけ遅らせ、左側搬送ベルト５Ｌからなる左側搬送部４Ｌは印刷媒体の幅方向左側端部を距離の半分値（ΔＬ／２）だけ進ませればよい。
【００３６】
例えば印刷媒体１の搬送方向先端部が印刷媒体の所定搬送速度をｖ0としたとき、図６ａに示すように、右側搬送ベルト５Ｒからなる右側搬送部４Ｒの搬送速度ｖRを、時刻ｔ0と時刻ｔ2の中間の時刻ｔ1まで等加速度で加速し、時刻ｔ1から時刻ｔ2まで等加速度で減速すると共に、図６ｂに示すように、左側搬送ベルト５Ｌからなる左側搬送部４Ｌの搬送速度ｖLを、時刻ｔ0から時刻ｔ1まで等加速度で減速し、時刻ｔ1から時刻ｔ2まで等加速度で加速するものとすると、所定搬送速度ｖ0と実際の速度ｖR、ｖLとの速度差の面積、図でいうと三角形の面積が印刷媒体幅方向端部の位置の操作量になる。また、このようにすれば、印刷媒体１全体の搬送速度ｖは常に所定搬送速度ｖ0に一致する。
【００３７】
この三角形の高さは、ΔＬ／２（ｔ1−ｔ0）＝ΔＬ／２（ｔ2−ｔ1）＝ΔＬ／（ｔ2−ｔ0）と表れる。また、印刷媒体１の幅方向右側と左側の距離ΔＬが算出された位置、この場合は印刷媒体１の搬送方向先端部が搬送ベルト５Ｒ、５Ｌ上に到達した位置と、印刷媒体１がヘッドユニット２の印刷媒体搬送方向最上流側のインクジェットヘッド３に到着する直前の位置までの距離をＬとすると、前記時間差（ｔ2−ｔ0）はＬ／ｖ0と表れるので、前記三角形の高さはｖ0・ΔＬ／Ｌとなる。従って、右側搬送ベルト５Ｒからなる右側搬送部４Ｒの搬送速度ｖRの到達最大速度はｖ0（１＋ΔＬ／Ｌ）となり、左側搬送ベルト５Ｌからなる左側搬送部４Ｌの搬送速度ｖLの到達最小速度はｖ0（１−ΔＬ／Ｌ）となる。
【００３８】
これらの印刷媒体搬送速度調整量を見込んだ右側及び左側の搬送速度制御信号ｖR、ｖLが印刷媒体搬送速度調整量算出部１７から右側及び左側ドライバ１８Ｒ、１８Ｌに出力され、それが夫々駆動信号に変換されて右側及び左側電動モータ８Ｒ、８Ｌに出力される。従って、本実施形態では、給紙部２８からフィードローラ９で搬送ベルト５Ｒ、５Ｌ上に給紙される印刷媒体１にスキューが生じていても、ヘッドユニット２の印刷媒体搬送方向最上流側のインクジェットヘッド３に到着する直前までには所定の搬送姿勢に調整され、その状態で印字が行われるので、印字性能が極めて高い。なお、印刷媒体１の位置は印刷媒体位置検出センサ１５Ｒ、１５Ｌによって随時検出され、その検出結果に基づいて前述の搬送速度制御信号ｖR、ｖLはフィードバック制御される。フィードバック制御による搬送速度制御信号ｖR、ｖLの補正方法は従来既存のものを適用する。
【００３９】
ちなみに、ラインヘッド型インクジェットプリンタでは、Ａ４サイズの印刷媒体に対し、毎分１５０枚から３００枚程度の印刷を容易に実現できる。毎分３００枚印刷時の１枚あたりの所要時間は０．２秒である。しかしながら、前記特許文献１に記載されるシャッター方式、或いは前述したゲートローラ方式による印刷媒体姿勢制御には、数百ミリ秒から数秒の時間を要し、高速印刷の大いなる妨げになる。これに対し、印刷媒体を搬送しながら姿勢制御する本実施形態のインクジェットプリンタでは、前記高速印刷のサイクルタイムを現実のものとすることができる。
【００４０】
このように、本実施形態のインクジェットプリンタでは、印刷媒体搬送方向と交差する方向に、右側及び左側搬送ベルト５Ｒ、５Ｌからなる印刷媒体姿勢調整手段を複数配設し、それらの印刷媒体調整手段の駆動用アクチュエータである電動モータ８Ｒ、８Ｌを制御装置によって個々に制御することとしたため、印刷媒体１のうち、搬送方向と交差する方向、即ち幅方向両端部の搬送速度を調整するものとすることで、印刷媒体１をなにものかに突き当てることなく姿勢調整することができ、これにより姿勢調整時間を短縮すると共に姿勢調整誤差を抑制防止し、更に諸問題を回避することができる。
【００４１】
また、右側及び左側搬送ベルト５Ｒ、５Ｌからなる印刷媒体姿勢調整手段に対応する位置に右側及び左側印刷媒体位置検出センサ１５Ｒ、１５Ｌを配設することとしたため、この印刷媒体位置検出センサ１５Ｒ、１５Ｌで印刷媒体１の位置を検出しながら印刷媒体姿勢調整手段によって印刷媒体１の姿勢を調整するようにすることで、フィードバック制御を可能とする閉ループが構成され、より一層正確な印刷媒体姿勢制御が可能となる。
また、右側及び左側印刷媒体位置検出センサ１５Ｒ、１５Ｌで検出される印刷媒体搬送方向と交差する方向の複数箇所の印刷媒体位置情報に基づいて右側及び左側電動モータ８Ｒ、８Ｌからなる複数のアクチュエータの駆動状態を制御することとしたため、閉ループのフィードバック制御によってより一層正確な印刷媒体姿勢制御を行うことができる。
【００４２】
また、右側及び左側印刷媒体位置検出センサ１５Ｒ、１５Ｌで検出される印刷媒体搬送方向と交差する方向の複数箇所の印刷媒体位置情報に基づいて右側及び左側搬送ベルト５Ｒ、５Ｌからなる印刷媒体姿勢調整手段の印刷媒体搬送速度調整量を設定し、この印刷媒体搬送速度調整量が達成されるように右側及び左側電動モータ８Ｒ、８Ｌからなる複数のアクチュエータの駆動状態を制御する構成としたため、より一層正確な印刷媒体姿勢制御を可能とすると共に、印刷媒体１を搬送しながら姿勢制御することができ、これにより姿勢調整時間を含む印字所要時間を短縮することができる。
【００４３】
また、右側及び左側搬送ベルト５Ｒ、５Ｌからなる複数の印刷媒体姿勢調整手段の印刷媒体搬送速度の平均値が印刷媒体１の所定の搬送速度に常に一致するように印刷媒体姿勢調整手段の印刷媒体搬送速度調整量を設定することとしたため、姿勢制御中の印刷媒体１全体の搬送速度を所定の搬送速度とすることができるので印刷媒体１の搬送を滑らかなものとすると共に、如何様な姿勢の印刷媒体１でも姿勢調整時間を含む印字所要時間を一定とすることができる。
【００４４】
また、印刷媒体搬送方向に配設された駆動ローラ６Ｒ、６Ｌと従動ローラ７Ｒ、７Ｌとに張架され且つ印刷媒体搬送方向と交差する方向に複数併設された右側及び左側搬送ベルト５Ｒ、５Ｌからなる搬送手段（右側及び左側搬送部４Ｒ、４Ｌ）を印刷媒体姿勢調整手段としたため、個別の印刷媒体姿勢調整手段を必要とせず、構成が簡潔になると共に、搬送ベルト５Ｒ、５Ｌ上での印刷媒体姿勢制御が可能となるので、印字までの間に乗り移り等による印刷媒体姿勢変化要因を回避できる。
また、右側及び左側搬送ベルト５Ｒ、５Ｌ上で印刷媒体１の姿勢を調整することとしたため、印字までの間に乗り移り等による印刷媒体姿勢変化要因を回避することができる。
【００４５】
次に、本発明のインクジェットプリンタの第２実施形態について、図７を用いて説明する。本実施形態は、前述の第１実施形態に類似しており、同等の構成には同等の符号を附して、その詳細な説明を省略する。本実施形態と第１実施形態の具体的な相違点の１つは、前記第１実施形態のフィードローラ９に代えて、２個一対のゲートローラ１９Ｒ、１９Ｌが設けられている点である。このうち、右側ゲートローラ１９Ｒは、印刷媒体幅方向右側に配設され、左側ゲートローラ１９Ｌは、印刷媒体幅方向左側に配設されている。また、右側ゲートローラ１９Ｒには右側電動モータ８Ｒが接続され、左側ゲートローラ１９Ｌには左側電動モータ８Ｌが接続されている。即ち、この右側及び左側ゲートローラ１９Ｒ、１９Ｌが本実施形態の印刷媒体位置調整手段を構成する。その結果、駆動ローラ２２及び従動ローラ２３は一本化され、駆動ローラ２２には電動モータ２４が一つだけ接続されている。また、駆動ローラ２２及び従動ローラ２３に巻回されて張架されている搬送ベルト２１には右側左側の差別がなくなり、搬送部２０は一つだけになる。
【００４６】
この実施形態で、前記右側及び左側ゲートローラ１９Ｒ、１９Ｌからなる印刷媒体位置調整手段による印刷媒体１の姿勢制御は、印刷媒体１が帯電済の搬送ベルト２１に完全に吸着される以前に行われる点を除いて、前記第１実施形態と原理は同じである。また、第１実施形態では右側及び左側搬送ベルト５Ｒ、５Ｌで印刷媒体１の幅方向右側及び左側の搬送速度を調整して位置制御するのに対し、本実施形態では右側及び左側ゲートローラ１９Ｒ、１９Ｌで印刷媒体１の幅方向右側及び左側の搬送速度を調整して位置制御する点も同じである。また、搬送速度を調整して位置制御する原理や作用も同じである。
【００４７】
即ち、印刷媒体の幅方向両端のうち、先行している側のゲートローラ１９Ｒ、１９Ｌの搬送速度を小さくし、後攻している側のゲートローラ１９Ｒ、１９Ｌの搬送速度を大きくする。その際、印刷媒体１の幅方向右側と左側の搬送方向への位置の差、即ち距離ΔＬは、右側印刷媒体位置センサ１５Ｒが印刷媒体１の搬送方向先端部を検出した時間と、左側印刷媒体位置センサ１５Ｌが印刷媒体１の搬送方向センタ部を検出した時間との差に、印刷媒体１の所定搬送速度を乗ずれば得られる。印刷媒体１の幅方向右側と左側の搬送方向への距離ΔＬに対し、先行している側のゲートローラ１９Ｒ、１９Ｌは印刷媒体１を距離の半分値（ΔＬ／２）だけ遅らせ、後行している側のゲートローラ１９Ｒ、１９Ｌは距離の半分値（ΔＬ／２）だけ進ませる。
【００４８】
印刷媒体１を進ませる側は中間時刻まで等加速度で加速し、次いで等加速度で減速し、印刷媒体１を遅らせる側は中間時刻まで等加速度で減速し、次いで等加速度で加速する場合、印刷媒体１の所定搬送速度ｖ0に対し、印刷媒体１を進ませる側の到達最大速度をｖ0（１＋ΔＬ／Ｌ）とし、印刷媒体１を遅らせる側の到達最小速度をｖ0（１−ΔＬ／Ｌ）とすることで、両者の平均値を常時、所定搬送速度ｖ0に一致させることができる。これらの印刷媒体搬送速度調整量を見込んだ右側及び左側の搬送速度制御信号ｖR、ｖLが、図５の印刷媒体搬送速度調整量算出部１７から右側及び左側ドライバ１８Ｒ、１８Ｌに出力され、それが夫々駆動信号に変換されて右側及び左側電動モータ８Ｒ、８Ｌに出力される。従って、本実施形態では、給紙部２８から給紙される印刷媒体１にスキューが生じていても、ヘッドユニット２の印刷媒体搬送方向最上流側のインクジェットヘッド３に到着する直前までには所定の搬送姿勢に調整され、その状態で印字が行われるので、印字性能が極めて高い。なお、印刷媒体１の位置は印刷媒体位置検出センサ１５Ｒ、１５Ｌによって随時検出され、その検出結果に基づいて前述の搬送速度制御信号ｖR、ｖLはフィードバック制御される。フィードバック制御による搬送速度制御信号ｖR、ｖLの補正方法は従来既存のものを適用する。
【００４９】
この実施形態のインクジェットプリンタによれば、前記第１実施形態のインクジェットプリンタの効果に加えて、印刷媒体搬送方向に配設された駆動ローラ２２と従動ローラ２３とに張架された搬送ベルト２１を搬送手段（搬送部２０）とし、その搬送ベルト２１からなる搬送手段の印刷媒体搬送方向上流側に配設され且つ印刷媒体搬送方向と交差する方向に複数併設された搬送ローラ、即ち右側及び左側ゲートローラ１９Ｒ、１９Ｌを印刷媒体姿勢調整手段としたため、個別の印刷媒体姿勢調整手段を必要とせず、構成が簡潔になる。
【００５０】
次に、本発明のインクジェットプリンタの第３実施形態について、図８を用いて説明する。本実施形態は、前述の第１実施形態に類似しており、同等の構成には同等の符号を附して、その詳細な説明を省略する。本実施形態と第１実施形態の具体的な相違点の１つは、搬送部２０が一つだけになっている点であり、駆動ローラ２２及び従動ローラ２３は一本化され、駆動ローラ２２には電動モータ２４が一つだけ接続されている。また、駆動ローラ２２及び従動ローラ２３に巻回されて張架されている搬送ベルト２１には右側左側の差別がない。一方、搬送ベルト２１の上方で且つヘッドユニット２の印刷媒体搬送方向上流側には、印刷媒体１の幅方向両端部位置に、右側及び左側搬送ローラ２５Ｒ、２５Ｌが配設され、右側搬送ローラ２５Ｒには右側電動モータ８Ｒが接続され、左側搬送ローラ２５Ｌには左側電動モータ８Ｌが接続されている。また、右側及び左側搬送ローラ２５Ｒ、２５Ｌは、搬送ベルト２１上の印刷媒体１に接触し、帯電済の搬送ベルト２１に完全に吸着される以前の印刷媒体１を搬送することができる。即ち、この右側及び左側搬送ローラ２５Ｒ、２５Ｌが本実施形態の印刷媒体位置調整手段を構成する。
【００５１】
この実施形態で、前記右側及び左側搬送ローラ２５Ｒ、２５Ｌからなる印刷媒体位置調整手段による印刷媒体１の姿勢制御は、印刷媒体１が帯電済の搬送ベルト２１に完全に吸着される以前に行われる点を除いて、前記第１実施形態と原理は同じである。また、第１実施形態では右側及び左側搬送ベルト５Ｒ、５Ｌで印刷媒体１の幅方向右側及び左側の搬送速度を調整して位置制御するのに対し、本実施形態では右側及び左側搬送ローラ２５Ｒ、２５Ｌで印刷媒体１の幅方向右側及び左側の搬送速度を調整して位置制御する点も同じである。また、搬送速度を調整して位置制御する原理や作用も同じである。
【００５２】
即ち、印刷媒体の幅方向両端のうち、先行している側の搬送ローラ２５Ｒ、２５Ｌの搬送速度を小さくし、後攻している側の搬送ローラ２５Ｒ、２５Ｌの搬送速度を大きくする。その際、印刷媒体１の幅方向右側と左側の搬送方向への位置の差、即ち距離ΔＬは、右側印刷媒体位置センサ１５Ｒが印刷媒体１の搬送方向先端部を検出した時間と、左側印刷媒体位置センサ１５Ｌが印刷媒体１の搬送方向センタ部を検出した時間との差に、印刷媒体１の所定搬送速度を乗ずれば得られる。印刷媒体１の幅方向右側と左側の搬送方向への距離ΔＬに対し、先行している側の搬送ローラ２５Ｒ、２５Ｌは印刷媒体１を距離の半分値（ΔＬ／２）だけ遅らせ、後行している側の搬送ローラ２Ｒ、２５Ｌは距離の半分値（ΔＬ／２）だけ進ませる。
【００５３】
印刷媒体１を進ませる側は中間時刻まで等加速度で加速し、次いで等加速度で減速し、印刷媒体１を遅らせる側は中間時刻まで等加速度で減速し、次いで等加速度で加速する場合、印刷媒体１の所定搬送速度ｖ0に対し、印刷媒体１を進ませる側の到達最大速度をｖ0（１＋ΔＬ／Ｌ）とし、印刷媒体１を遅らせる側の到達最小速度をｖ0（１−ΔＬ／Ｌ）とすることで、両者の平均値を常時、所定搬送速度ｖ0に一致させることができる。これらの印刷媒体搬送速度調整量を見込んだ右側及び左側の搬送速度制御信号ｖR、ｖLが、図５の印刷媒体搬送速度調整量算出部１７から右側及び左側ドライバ１８Ｒ、１８Ｌに出力され、それが夫々駆動信号に変換されて右側及び左側電動モータ８Ｒ、８Ｌに出力される。従って、本実施形態では、給紙部２８から給紙される印刷媒体１にスキューが生じていても、ヘッドユニット２の印刷媒体搬送方向最上流側のインクジェットヘッド３に到着する直前までには所定の搬送姿勢に調整され、その状態で印字が行われるので、印字性能が極めて高い。なお、印刷媒体１の位置は印刷媒体位置検出センサ１５Ｒ、１５Ｌによって随時検出され、その検出結果に基づいて前述の搬送速度制御信号ｖR、ｖLはフィードバック制御される。フィードバック制御による搬送速度制御信号ｖR、ｖLの補正方法は従来既存のものを適用する。
【００５４】
この実施形態のインクジェットプリンタによれば、前記第１実施形態のインクジェットプリンタの効果に加えて、印刷媒体搬送方向に配設された駆動ローラ２２と従動ローラ２３とに張架された搬送ベルト２１を搬送手段（搬送部２０）とし、その搬送ベルト２１からなる搬送手段の印刷媒体搬送面に対向して配設され且つ印刷媒体１に接触して搬送可能な回転体、即ち右側及び左側搬送ローラ２５Ｒ、２５Ｌを印刷媒体姿勢調整手段としたため、搬送ベルト２１上での印刷媒体姿勢制御が可能となるので、印字までの間に乗り移り等による印刷媒体姿勢変化要因を回避できる。
【００５５】
なお、前記実施形態では所謂ラインヘッド型インクジェットプリンタを対象として本発明のインクジェットプリンタのヘッド駆動装置を適用した例についてのみ詳述したが、本発明のインクジェットプリンタのヘッド駆動装置は、マルチパス型プリンタを始めとして、あらゆるタイプのインクジェットプリンタを対象として適用可能である。
【図面の簡単な説明】
【００５６】
【図１】本発明のインクジェットプリンタを適用したラインヘッド型インクジェットプリンタの第１実施形態を示す概略構成図であり、（ａ）は平面図、（ｂ）は正面図である。
【図２】図１のインクジェットプリンタの変形例を示す概略構成図であり、（ａ）は平面図、（ｂ）は正面図である。
【図３】図１のインクジェットプリンタの作用の説明図であり、（ａ）は平面図、（ｂ）は正面図である。
【図４】図１のインクジェットプリンタの作用の説明図であり、（ａ）は平面図、（ｂ）は正面図である。
【図５】インクジェットプリンタの印刷媒体姿勢制御装置を示すブロック図である。
【図６】印刷媒体姿勢制御のための印刷媒体搬送速度の説明図である。
【図７】本発明のインクジェットプリンタを適用したラインヘッド型インクジェットプリンタの第２実施形態を示す概略構成図であり、（ａ）は平面図、（ｂ）は正面図である。
【図８】本発明のインクジェットプリンタを適用したラインヘッド型インクジェットプリンタの第３実施形態を示す概略構成図であり、（ａ）は平面図、（ｂ）は正面図である。
【符号の説明】
【００５７】
１は印刷媒体、２はヘッドユニット、３はインクジェットヘッド、４Ｒ、ＲＬは右側及び左側搬送部、５Ｒ、ＲＬは搬送ベルト、６Ｒ、ＲＬは右側及び左側駆動ローラ、７Ｒ、７Ｌは右側及び左側従動ローラ、８Ｒ，８Ｌは電動モータ、９はフィードローラ、１０は給紙ガイド板、１１は排紙部、１２は排紙ローラ、１３は排紙ガイド板、１４は帯電ローラ、１５Ｒ、１５Ｌは右側及び左側印刷媒体位置検出センサ、１６は印刷媒体位置情報算出部、１７は印刷媒体搬送速度調整量算出部、１８Ｒ、１８Ｌは右側及び左側ドライバ、１９Ｒ、１９Ｌは右側及び左側ゲートローラ、２０は搬送部、２１は搬送ベルト、２２は駆動ローラ、２３は従動ローラ、２４は電動モータ、２５Ｒ、２５Ｌは右側及び左側搬送ローラ
【図１】
2008007266.tif 000003
【図２】
2008007266.tif 000004
【図３】
2008007266.tif 000005
【図４】
2008007266.tif 000006
【図５】
2008007266.tif 000007
【図６】
2008007266.tif 000008
【図７】
2008007266.tif 000009
【図８】
2008007266.tif 000010